(57)【要約】      （修正有）【課題】国際空港のように世界各国の要人が集合する場所の便座式公衆トイレの便座に遮蔽物や保護カバーが無い状態で着座した場合でも、身体の皮膚が便座に直接触れて細菌類や寄生虫に感染する恐れのない衣類を提供する。【解決手段】臀部の皮膚が便座に直接触れない機能をもたせるパット部４と、股間排泄孔位置に開口３を設けた防護下着を常に着用することにより、便座が汚染された公衆トイレに遭遇しても排便排尿状態において直接身体の皮膚が便座に触れないので、細菌類や寄生虫の感染を防護することができる。【選択図】図１
2012026050.tif 000002
【特許請求の範囲】
【請求項１】
洋式トイレにおいて臀部の皮膚が便座に直接触れない機能をもたせる符号４パット部と、肛門、尿道口などの排泄孔を塞ぐことの無い符号３の開口部がある符号５の固定体から構成される衣類であり、符号４パット部は撥水性と通気性のある繊維体・多孔質構造体であり、容易に汚水を浸透、透過させない厚さとし、便座面を覆える面積とし、符号５の固定体は便座着座時に符号４のパット部が便座に来る位置に固定する撥水性と通気性のある網状体、またはニットのような弾性体とする便座から汚物汚染されることの無い衣類。
【請求項２】
符号４パット部および符号３開口部をパーツ化し、面接テープや粘着性テープのような接着性素材で容易に符号５固定体に着脱できる構造であり、符号５固定体も身体から容易に着脱できるよう紙オムツのように両側を粘着性テープ、面接テープ、ジッパー、ホックのような接合性素材で留めておく構造とする請求項１に記載の便座から汚物汚染されることの無い衣類。
【請求項３】
符号５固定体は撥水性と通気性のある弾性繊維材か、または弾性多孔質材を用いることにより、符号４パット部と符号５固定体を一体化構造として着座時のパット部の位置調整を不要とする請求項１に記載の便座から汚物汚染することの無い衣類。
【発明の詳細な説明】
【技術分野】
【０００１】
公衆の洋式トイレには清潔な便座カバーがかけられていないので、便座に直接着座すると臀部の皮膚が汚物に触れ、細菌や寄生虫に感染する恐れがある。これを防護するための衣類である。
【背景技術】
【０００２】
実用新案公告3137794号公報は女用ナイロン製パンティストッキングを男性にも利用出
来るように小便口を開口して利用価値を高めるものであって便座カバーの機能はない。
特許公開2002-327307号公報は女性の陰部および肛門が露出する大小排泄開口部を設けた
女性専用のパンティストッキングで男性には用いられない。
パンティストッキングの開口部の位置、寸法は身体の形状によって千差万別である。パンティストッキングの開口部を大小排泄の位置にあわせるには便座に着座した状態で決定しなければ決まらない。また開口部の寸法も人によって千差万別であり物理的に排便排尿できる寸法ではなく、排便排尿後の処理も滞りなくできる寸法が必要である。このため個人的感覚が判断基準となり、多くの開口部種類パンティストッキングから選定しなければならなくなるが、店先で試着した上、便座に着座して選定することは心理的に抵抗感がある。
パンティストッキングは薄いので、便座に汚水、汚物、細菌類、寄生虫が付着していた場合、完全に防護しきれない。特に水溶性汚物に汚染された便座に着座した場合、パンティストッキング網目繊維のメニスカスによって汚水が吸い上げられ臀が汚染し細菌類などに感染する。
働く女性が増え、男女隔てなく勤務する時代となり、女性だからといってトイレに長時間おれる環境ではなくなってきた。このような状態においてパンティストッキングが便座によって汚染された場合、容易に着脱できないことから便座の汚物、細菌類をパンティストッキングに付着した状態で着衣し、トイレから戻り勤務すると、汚物汚染が長時間持続することになり非衛生になる。
【先行技術文献】
【特許文献】
【０００３】
【特許文献１】実用新案公告3137794号公報
【特許文献２】特許公開2002-327307号公報
【発明の概要】
【発明が解決しようとする課題】
【０００４】
国際空港のように世界各国の要人が集合する場所においては、抗体や抵抗力が異なっている者が混合して公衆トイレを使用することになる。ある国の者には発病障害を発症させない細菌類や寄生虫であったとしても、これらに対する抵抗力の無い国の者には危険な細菌類や寄生中である可能性がある。抵抗力のない国の者が便座式公衆トイレの便座に遮蔽物や保護カバーが無い状態で着座した場合、臀部の皮膚が便座に直接触れて細菌類や寄生虫に感染する恐れがある。
【課題を解決するための手段】
【０００５】
公衆トイレには清潔な便座カバーが常備されておらず、便座に直接皮膚が触れないよう便座の上にティシュを敷くか、または携帯用消毒液で便座を拭く等が行われている。しかし
排尿・排便時は緊急を要することが多く、早急に便座を清潔にする余裕が無い。この問題を解決するため、公衆トイレに便座カバーを装着するのではなく身体に便座カバーの役目をする股間排泄孔位置に開口した防護下着を常に着用しておくという着眼点で便座に直接身体が触れない構造の衣類を開発した。この便座に直接身体が触れない構造の衣類を着用した状態で便座に着座すると、便座が細菌類や寄生虫で汚染された公衆トイレであつても、排便排尿状態において直接身体の皮膚が便座に触れないので、細菌類や寄生虫の感染を予防することができる。
【発明の効果】
【０００６】
「便座に直接身体が触れないで排泄できる構造の衣類」を用いることにより、不特定多数が使用する洋式公衆トイレの便座にカバーが無くても、便座に皮膚を直接接触させることなく排便排尿ができるので、他人の皮膚に繁殖していた細菌類や寄生虫に感染する危険性を回避することが出来る。
「便座に直接身体が触れないで排泄できる構造の衣類」は開口部パーツが面接テープのような接着性材質で自由に貼り付けているので、肛門、尿道口の位置に容易に移設・補正できる。このため男女の区別無く使用できる。
符号４パットは面接テープあるいは粘着テープのような素材で貼り付け、容易に着脱できるので、便座接地位置に来るよう自由に調節でき、符合４パットのみ即座に張り替えられる。パンティストッキングの履き替えのような手間が掛からない。
「便座に直接身体が触れないで排泄できる構造の衣類」の寸法は便座に接地する範囲が必要領域となりパンティストッキングやレギンスのような足首までの長尺寸法は不要である。
「便座に直接身体が触れないで排泄できる構造の衣類」の上からパンティをはいてもパンティストッキングと違って二重に肛門、尿道付近の局部が覆われることがなく、通気性が良いので、股間に細菌類が繁殖し難く、痒みや悪臭も発生し難い。
ファミリーレストラン、喫茶店などに入って客席に着席した場合、長時間座席に座っているとビニールシートの通気性の悪さによって股間が蒸れ不快になる。このような場合「便座に直接身体が触れないで排泄できる構造の衣類」を着用しておけば通気性の良い符号４パットが股間の通気性を確保し、快適に長時間すごすことができる。
集合した学生においては体育館床や野外地面に直接座らされることがある。冬季の床、地面であっても「便座に直接身体が触れないで排泄できる構造の衣類」をあらかじめ着用しておけば何処に座っても下半身を冷やす恐れがなくなる。
【図面の簡単な説明】
【０００７】
【図１】「便座に直接身体が触れないで排泄できる構造の衣類」の肩紐形式概観図。
【図２】「便座に直接身体が触れない排泄できる構造の衣類」の肩紐形式を着用した使用状況側面図。
【図３】「便座に直接身体が触れない排泄できる構造の衣類」の肩紐形式を着用した正面図。
【図４】「便座に直接身体が触れない排泄できる構造の衣類」のパンツ形式を着用した背面イメージ図。
【発明を実施するための形態】
【０００８】
「便座に直接身体が触れないで排泄できる構造の衣類」は通気性が良く、股間・陰部が蒸れない材質とする。人体の形状は個人差があるので、符号３開口部はパーツ化し、身体形態を計測して肛門、尿道口の位置が適切にフィトするものを選定できるよう配慮することが重要である。特に開口部位置は多種類の開口部パーツを面接テープのようなもので貼り付け、容易に位置設定、修正設定できる構造が望ましい。
符号４パットは便座に着座した状態において、身体の皮膚が便座に直接触れる領域を通気性のある厚い布、例えば不織布のような繊維で覆い、排尿・排便に支障がきたさない形状、構造とする。
符号４パットは抗菌性が有り汚染水を透過させない防水性をもたせる。汚染水や細菌類を容易に透過させないため５〜１０mm程度の厚さとする。１０mm程度の厚さにすると座布団代わりとなり硬い木製椅子に抵抗無く座れる。ファミリーレストランなどに多くみられる通気性の無いビニールカバーの椅子に長時間座っていても股間の通気性が確保され快適である。
符号４パットは面接テープあるいは粘着テープのような素材で符号５固定体に貼り付け、便座接地位置に来るよう容易に調節でき、便座の汚物や細菌類に汚染した場合、容易に取り替えられる構造とする。
符号５固定体材質は通気性を持ち、親水性は無く、水溶性汚物を吸着しない撥水性材質のものが適している。レインコートように防水処理した不織布や網目ニットのようなものでもよい。
符号５固定体の開口部はあらかじめ必要以上開口しておき、開口形状寸法が異なる符号３の開口部パーツの中から最も適切なパーツを選定し、面接テープあるいは粘着テープのような素材で貼り付け、容易に着脱できるものとする。  汚染した符号５固定体は容易に取り替えられるよう、紙オムツのように両側を粘着テープや面接テープで固定した構造とすると利便性が高い。符号５の固定体はその開口部位置が尿道口、肛門などの排泄孔とずれないよう、ワンピース水着状の肩紐で固定できる構造が基本構造になる。しかし、開口部位置を固定する肩紐が用いられない場合は、開口部パーツの位置が股間排泄孔とずれないよう伸縮性の高い弾性体布のような材質を用い、スパッツのように下半身に密着させ、その弾力性で締め付けて開口位置を確定する。
【実施例１】
【０００９】
図1に示すのは、肩紐形式で身体に固定できるワンピース水着状の「便座に直接身体が触
れないで排泄できる構造の衣類」の概観である。
【実施例２】
【００１０】
図2に示すのは、肩紐形式で身体に固定できるワンピース水着状の「便座に直接身体が触
れないで排泄できる構造の衣類」を着用した状態における排便排尿状況側面図である。
【産業上の利用可能性】
【００１１】
今まで無かった便座カバー機能の衣類を創作して提供することになり、衣料業界に新たな市場が発生し衣料業界が繁栄する。
【符号の説明】
【００１２】
１、  通気性のある弾性伸縮性網目布裏地。
２、  撥水性のある弾性伸縮性網目布表地。  
３、  尿道、肛門位置にある開口部。  
４、  便座に接地する部分であって、臀部を汚染から保護するパット部。
５、  符号４のパットを身体に固定するスパッツまたはパンツ状の網目ニット状固定体で符号1裏地と符号2表地を重ね合わせた弾性伸縮性網目布。
【図１】
2012026050.tif 000003
【図２】
2012026050.tif 000004
【図３】
2012026050.tif 000005
【図４】
2012026050.tif 000006